(57)【要約】  【課題】面積を確保できるとともに、捕集した塵埃を容易に除去できる電気掃除機用フィルタを提供する。  【解決手段】一方向に沿って稲妻形となるように折り曲げ形成した複数の第１の折り線71と、他方向に沿って直線状となるように折り曲げ形成した複数の第２の折り線72とを濾材62に形成することで、濾材62の表面積を確保できるとともに、互いに異なる二方向に各折り線を設けることで、各折り線71，72での折り曲げによる凹凸が必要以上に大きくなることを防止して、濾材62で捕集した塵埃を濾材62から容易に除去できる。  【選択図】図１
2006006406.tif 000002
【特許請求の範囲】
【請求項１】
電動送風機の上流側に配設され、前記電動送風機により吸い込まれた塵埃を集塵する電気掃除機用フィルタであって、
フィルタ本体と、
このフィルタ本体を保持する保持部材とを具備し、
前記フィルタ本体は、
一方向に沿って稲妻形となるように折り曲げ形成され、この一方向に交差する他方向には山谷交互となるように互いに平行に設けられた複数の第１の折り線と、前記他方向に沿って直線状となるように折り曲げ形成され、前記一方向には山谷交互となるとともに、前記第１の折り線と交差する毎に山谷交互となるように互いに平行に設けられた複数の第２の折り線とにより、略同一形状の平行四辺形状に区画された複数の区画部を備え、これら区画部が前記第１の折り線および前記第２の折り線のいずれか一方について線対称となるように予め折られて形成されている
ことを特徴とした電気掃除機用フィルタ。
【請求項２】
フィルタ本体は、第１の折り線が上下方向に連続して配設されている
ことを特徴とした請求項１記載の電気掃除機用フィルタ。
【請求項３】
フィルタ本体は、消臭物質と脱臭物質との少なくともいずれか一方を有する
ことを特徴とした請求項１または２記載の電気掃除機用フィルタ。
【請求項４】
フィルタ本体は、アレルゲンを不活性化するアレルゲン不活性化物質を有する
ことを特徴とした請求項１ないし３いずれか一記載の電気掃除機用フィルタ。
【請求項５】
請求項１ないし４いずれか一記載の電気掃除機用フィルタを具備した
ことを特徴とした電気掃除機。
【発明の詳細な説明】
【技術分野】
【０００１】
本発明は、電動送風機により吸い込まれた塵埃を集塵する電気掃除機用フィルタおよびこれを備えた電気掃除機に関する。
【背景技術】
【０００２】
従来、この種の電気掃除機は、電動送風機を収容した掃除機本体を備えている。この掃除機本体内には、電動送風機の吸込側に連通する集塵カップが設けられている。この集塵カップには、この集塵カップにて分離できなかった細塵を捕集する電気掃除機用フィルタが着脱可能に取り付けられている。この電気掃除機用フィルタは、前後方向にプリーツ状に形成され、上下方向に沿って山部および谷部が形成された濾材を有している（例えば、特許文献１参照。）。
【特許文献１】特許第３４９００８１号公報（第３頁、図１０）
【発明の開示】
【発明が解決しようとする課題】
【０００３】
近年、掃除機本体は小型化の傾向にあり、一方で、集塵カップの大きさなどは充分に確保して掃除性能の低下を防止する必要がある。
【０００４】
このため、比較的少ないスペースでのフィルタの表面積の一層の確保が望まれている。
【０００５】
しかしながら、上述の電気掃除機用フィルタでは、濾材の表面積を大きくする際に、山部および谷部の凹凸を深くし、かつ山部および谷部のそれぞれのピッチを小さくしなければならず、この場合には、濾材に捕集された塵埃が凹凸に挟まるおそれがあり、これら塵埃を濾材から除去することが容易でないという問題点を有している。
【０００６】
本発明は、このような点に鑑みなされたもので、表面積を確保できるとともに、捕集した塵埃を容易に除去できる電気掃除機用フィルタおよびこれを備えた電気掃除機を提供することを目的とする。
【課題を解決するための手段】
【０００７】
本発明は、電動送風機により吸い込まれた塵埃を集塵する電気掃除機用フィルタのフィルタ本体が、一方向に沿って稲妻形となるように折り曲げ形成され、この一方向に交差する他方向には山谷交互となるように互いに平行に設けられた複数の第１の折り線と、前記他方向に沿って直線状となるように折り曲げ形成され、前記一方向には山谷交互となるとともに、前記第１の折り線と交差する毎に山谷交互となるように互いに平行に設けられた複数の第２の折り線とにより、略同一形状の平行四辺形状に区画された複数の区画部を備え、これら区画部が前記第１の折り線および前記第２の折り線のいずれか一方について線対称となるように予め折られて形成されているものである。
【発明の効果】
【０００８】
本発明によれば、一方向に沿って稲妻形となるように折り曲げ形成され互いに平行な複数の第１の折り線と、他方向に沿って直線状となるように折り曲げ形成された複数の第２の折り線とをフィルタ本体に形成することで、表面積を確保できるとともに、互いに異なる二方向に各折り線を設けることで、各折り線での折り曲げによる凹凸が必要以上に大きくなることを防止して、フィルタ本体で捕集した塵埃をフィルタ本体から容易に除去できる。
【発明を実施するための最良の形態】
【０００９】
以下、本発明の一実施の形態の構成を図１ないし図５を参照して説明する。
【００１０】
図５において、１は掃除機本体で、この掃除機本体１の内部には、電動送風機２が収容されている。そして、この掃除機本体１は、いわゆるキャニスタ型電気掃除機であり、電動送風機２の駆動にて生じる吸気風とともに吸い込んだ塵埃を捕捉して集塵する。
【００１１】
また、掃除機本体１は、ケース体３と、このケース体３の上部に後部が連結して回動により上部を開放可能に覆って取り付けられる蓋体４とを備えた本体ケース５を有している。さらに、この本体ケース５には、蓋体４により上部を覆われるカップ保持部６が設けられている。そして、このカップ保持部６には、集塵装置としての集塵カップ７が着脱可能に設けられている。
【００１２】
またさらに、カップ保持部６の下部には、図３に示すように、旋回輪８が旋回可能かつ回転可能に取り付けられている。さらに、本体ケース５の両側部には、一対の走行輪９がそれぞれ回転自在に取り付けられている。
【００１３】
また、本体ケース５の蓋体４の前側には、集塵カップ７に連通する本体吸込口11が前方に向けて開口されている。そして、本体吸込口11には、図５に示すように、可撓性を有し湾曲可能な細長略円筒状の接続管としてのホース体13が連通接続されている。このホース体13の先端には、電動送風機２の動作モードなどが選択可能な手元操作部15が設けられている。
【００１４】
また、この手元操作部15には、掃除機本体１内の電動送風機２などの駆動状態を所定の状態に設定する複数の設定ボタン16が設けられているとともに、掃除する際に作業者が把持する把持部21が基端側に突設されている。また、この手元操作部15の先端には、伸縮可能な細長略円筒状の延長管22が着脱可能に連通接続されている。さらに、この延長管22の先端には、例えば室内の床面の絨毯などの上に載置させて、この絨毯上の塵埃を吸い込む床ブラシ23が着脱可能に連通接続されている。
【００１５】
ケース体３内には、電動送風機２を収容した図示しない送風機室と、電動送風機２などに商用交流電源からの電力を供給する電源コード24を巻回したコードリール25を収容する図示しないリール室とが区画形成されている。
【００１６】
コードリール25は、リール室内に回動可能に設けられ、例えばぜんまいばねなどにより電源コード24の巻き取り方向に付勢されている。
【００１７】
また、ケース体３の上部で蓋体４の後方には、掃除機本体１を持ち運び可能とするハンドル26が設けられている。このハンドル26は、ケース体３の内部に設けられた図示しないブレーキ装置と連結されている。ここで、このブレーキ装置は、コードリール25の回動を固定するものである。そして、ハンドル26は、掃除機本体１の内部側である下方に押し込むことによりブレーキ装置によるコードリール25の回動の固定を解除することで、コードリール25を電源コード24の巻き取り方向に回転させるように操作可能となっている。
【００１８】
さらに、ケース体３の側部には、電動送風機２の下流側に連通する複数の排気孔27が穿設されている。
【００１９】
集塵カップ７は、図３に示すように、集塵部本体としての集塵カップ本体31と、この集塵カップ本体31に着脱可能に設けられる電気掃除機用フィルタとしてのフィルタ部32とを備えている。
【００２０】
集塵カップ本体31は、この集塵カップ本体31の外周面を形成する外壁部35、この外壁部35の内側に設けられた分離集塵部36、および、集塵カップ７を作業者が把持可能にする集塵カップ用ハンドル部37を有し、外壁部35内の分離集塵部36の外方に空間部38が形成されている。
【００２１】
外壁部35は、集塵カップ７の前側から上側および両側部に亘って連続している。また、この外壁部35は、後端部に電動送風機２の吸込側に連通しフィルタ部32が着脱可能に取り付けられる開口部39が開口形成されている。
【００２２】
分離集塵部36は、本体吸込口11に連通する塵埃分離部41と、この塵埃分離部41の下流側に連通する有底円筒状の第１の集塵部42とを備えている。
【００２３】
塵埃分離部41は、電動送風機２の駆動により空気とともに吸い込まれた塵埃を空気から分離するとともに、この塵埃の一部を捕集するもので、下流側へと縮径するように設けられた略円筒状の縮径部45と、この縮径部45の下流側および第１の集塵部42の上流側に連通するパイプ状の筒部46とを有している。
【００２４】
縮径部45は、本体吸込口11から吸い込まれた塵埃を筒部46へと衝突させて塵埃を空気から分離するものであり、空間部38に連通する四角形状の貫通孔47が複数穿設されている。これら貫通孔47は、縮径部45の周方向に互いに離間されている。そして、これら貫通孔47には、通過する空気から塵埃を捕集するメッシュ状の分離部フィルタ48がそれぞれ設けられている。
【００２５】
筒部46は、縮径部45から第１の集塵部42へとＬ字状に屈曲して形成されている。さらに、この筒部46の下端部には、第１の集塵部42内で接線方向に沿って空気を旋回させる壁部49が形成されている。
【００２６】
そして、第１の集塵部42は、塵埃分離部41を通過した空気に含まれる塵埃をサイクロン分離するメインの集塵部となるものである。また、この第１の集塵部42の上部で縮径部45の下方には、第１の集塵部42の上部を閉塞する上側壁部51が形成され、この上側壁部51には、第１の集塵部42の下流側と空間部38とを連通する連通孔52が穿設されている。この連通孔52には、メッシュ状の集塵部フィルタ53が取り付けられている。
【００２７】
さらに、第１の集塵部42の下流側である後部には、細塵を集塵する補助的な第２の集塵部55が形成されている。この第２の集塵部55は、開口部39の下端部の縁部に位置し、幅方向に離間された複数のリブ56により、複数に分割されている。
【００２８】
そして、これら各集塵部42，55の下部には、これら各集塵部42，55のそれぞれの下部を開閉可能にする下蓋57が前後方向に回動可能に設けられている。
【００２９】
集塵カップ用ハンドル部37は、集塵カップ７をカップ保持部６に取り付けた状態で本体吸込口11の下方に位置している。また、この集塵カップ用ハンドル部37には、下蓋57を開閉させる図示しない操作ボタンが設けられている。
【００３０】
一方、フィルタ部32は、図１に示すように、保持部材としての樹脂製の枠体61と、この枠体61に設けられたフィルタ本体としての濾材62とを有し、開口部39に着脱可能に取り付けられてこの開口部39全体を閉塞する。
【００３１】
枠体61は、濾材62の周囲を囲む枠状に形成されている。また、この枠体61の下端部には、濾材62の下方へと傾斜した傾斜面65が設けられている。この傾斜面65は、下流側から上流側へと下方に向けて傾斜し、濾材62から落下した塵埃を第２の集塵部55へと案内するものである。さらに、枠体61には、フィルタ部32と開口部39の縁部との隙間を閉塞するシールパッキン66が取り付けられている。
【００３２】
濾材62は、図１および図２に示すように、平面視四角形状に形成され、いわゆる三浦折りにより折り畳まれている。すなわち、濾材62は、一方向である図２に示す縦方向に沿って伸びる第１の折り線71が横方向に複数個折り曲げ形成されるとともに、これら第１の折り線71と交差する他方向である図２に示す横方向に沿って伸びる第２の折り線部72が縦方向に複数個折り曲げ形成されて、これら各折り線部71，72により、平行四辺形状の複数の区画部73が全体に形成されている。
【００３３】
各第１の折り線71は、図２に示す縦方向に沿って稲妻形、すなわち図２に示す横方向に交互にジグザグ状となるように形成され、図２に示す横方向に略等間隔に離間されてそれぞれ互いに平行に形成されている。また、これら第１の折り線71は、フィルタ山部71aとフィルタ谷部71bとが、図２に示す横方向に交互になるように形成されている。
【００３４】
各第２の折り線72は、図２に示す横方向に沿って直線状に形成され、図２に示す縦方向に略等間隔に離間されて互いに平行になっている。また、これら第２の折り線72は、第１の折り線71と交差する毎にフィルタ山部72aとフィルタ谷部72bとが交互に形成されるとともに、図２に示す縦方向にフィルタ山部72aとフィルタ谷部72bとが交互になるように形成されている。
【００３５】
そして、各第２の折り線72は、各第１の折り線71のフィルタ山部71aおよびフィルタ谷部71bの図２に示す左側に折れ曲がった部分の間にフィルタ山部72aがそれぞれ位置し、各第１の折り線71のフィルタ山部71aおよびフィルタ谷部71bの図２に示す右側に折れ曲がった部分の間にフィルタ谷部72bがそれぞれ位置している。
【００３６】
区画部73は、第１の折り線71および第２の折り線72により、互いに略同一形状に形成され、それぞれ角度α°の一対の対角と角度（１８０−α）°の一対の対角とを有している。また、これら区画部73は、図２に示す横方向には同形状となるように互いに隣接し、図２に示す縦方向には、各第２の折り線72について互いに線対称となるように形成されている。言い換えると、区画部73は、図２に示す横方向には、角度α°の角と角度（１８０−α）°の角とが隣接し、図２に示す縦方向には、角度α°の角同士と角度（１８０−α）°の角同士とが交互に隣接している。
【００３７】
そして、濾材62は、第１の折り線71が上下方向に沿うように、言い換えると第１の折り線71が上下方向の成分を有するように、枠体61に取り付けられている。すなわち、濾材62は、各フィルタ山部71aおよび各フィルタ谷部71bが上下方向に沿って形成されている。
【００３８】
また、濾材62は、光触媒、あるいはカテキンなどの消臭物質74、活性炭などの脱臭物質、および、所定のアレルゲンを不活性化するマイナスイオン発生物質、あるいはダニの死骸などを分解するたん白質分解酵素などのアレルゲン不活性化物質75を含浸させた部材により形成されている。
【００３９】
なお、濾材62は、消臭物質74、あるいはアレルゲン不活性化物質75を塗布したものとすることもできる。
【００４０】
さらに、フィルタ部32の下流側、かつ電動送風機２の上流側には、フィルタ部32で捕集した塵埃を叩いて落とす除塵装置76が設置されている。
【００４１】
この除塵装置76は、コードリール25に電源コード24を巻き取る際に回動されるもので、大径のギア81と、このギア81にコードリール25の回転力を伝達する回転力伝達手段82とを備えている。
【００４２】
ギア81は、略円筒状の中心筒部85と、この中心筒部85から径方向にそれぞれ突設された複数のアーム部86と、これらアーム部86の先端部に一体に設けられたギア部87と、一つのアーム部86に設けられた突起88とを備えている。
【００４３】
中心筒部85は、ギア81の回動の中心となるもので、電動送風機２の上流側に設けられた図示しない格子状の板部に回転自在に軸支されている。
【００４４】
アーム部86は、ギア81の周方向に互いに略等角度に設けられ、中心筒部85からそれぞれ放射状に突出している。さらに、アーム部86の中心部には、これらアーム部86を互いに連結して補強する補強部89が中心筒部85と同軸状に設けられている。
【００４５】
ギア部87は、ギア81の外周面となるもので、中心筒部85と同軸状の円筒状に設けられ、アーム部86の先端部と一体となっている。すなわち、アーム部86は、中心筒部85とギア部87との間に架設されている。そして、このギア部87は、回転力伝達手段82に歯合されている。
【００４６】
突起88は、一つのアーム部86と補強部89との交差部に一体に設けられ、フィルタ部32側である前側に突出するとともに、このフィルタ部32に向けて付勢されている。そして、この突起88は、濾材62の各フィルタ山部71a，72a、あるいは各フィルタ谷部71b，72bの下流側に浅く係合している。
【００４７】
また、回転力伝達手段82は、小径のピニオン91，92と、これらピニオン91，92を同軸状に連結する回転軸93と、この回転軸93に設けられたワンウェイクラッチ94とを備えている。
【００４８】
ピニオン91は、ギア81と平行に設けられ、ギア81のギア部87に歯合している。
【００４９】
また、ピニオン92は、ピニオン91に対して平行に離間され、コードリール25に設けられたリールギア部95に歯合されている。
【００５０】
さらに、ワンウェイクラッチ94は、コードリール25に電源コード24を巻き取る際のコードリール25の回転によりピニオン92が回転した場合にのみ、回転軸93を介してこのピニオン92の回転をピニオン91に伝達し、コードリール25から電源コード24を引き出す際のコードリール25の回転によりピニオン92が回転した場合には、ピニオン92を回転軸93に対して空回りさせるものである。
【００５１】
次に、上記一実施の形態の作用を説明する。
【００５２】
まず、作業者は、フィルタ部32を集塵カップ７の開口部39に取り付け、この集塵カップ７をカップ保持部６に装着した後、蓋体４を閉じる。
【００５３】
この後、本体吸込口11にホース体13、延長管22および床ブラシ23を順次連通接続する。
【００５４】
さらに、作業者は、電源コード24をコードリール25から引き出し、壁面などに設けられた図示しないコンセントに接続し、把持部21を把持して所定の設定ボタン16を操作して電動送風機２を所定の駆動モードで駆動させ、床面に載置させた床ブラシ23を前後に操作して床面の塵埃を床ブラシ23の先端部から空気とともに吸い込む。
【００５５】
床ブラシ23から吸い込まれた空気は吸込風となり、この吸込風は、塵埃とともに延長管22、ホース体13および本体吸込口11を、空気とともに順次通過し、集塵カップ７に流入する。
【００５６】
そして、比較的軽い塵埃は、分離集塵部36にて直進することなく、縮径部45の貫通孔47を通過する吸込風の流れに乗って分離部フィルタ48に捕集される。
【００５７】
一方、比較的重い塵埃は、吸込風とともに縮径部45を直進し、筒部46を通過した後、壁部49に沿って第１の集塵部42に流れ込み、この第１の集塵部42内でサイクロン分離されてこの第１の集塵部42内に捕集される。このとき、この第１の集塵部42に流入した吸込風は、集塵部フィルタ53を通過した後、空間部38に流入する。
【００５８】
空間部38に流入した吸込風は、フィルタ部32の濾材62を通過する際に、第１の集塵部42で集塵できなかった細塵が捕捉され、電動送風機２に流入した後、排気風となって排気孔27から掃除機本体１の外部へと排気される。
【００５９】
掃除が終了すると、電源コード24をコンセントから外し、作業者がハンドル26を押し込むことで、ブレーキ装置がコードリール25の固定を解除し、ぜんまいばねなどにより付勢されたコードリール25が電源コード24の巻き取り方向に回転して電源コード24が巻き取られる。
【００６０】
このとき、コードリール25の回転に伴い、リールギア部95に歯合するピニオン92が回転し、ワンウェイクラッチ94の作用により、ピニオン92の回転が回転軸93を介してピニオン91に伝達されてこのピニオン91が回転し、このピニオン91の回転に伴い、このピニオン91にギア部87が歯合したギア81が回転する。
【００６１】
そして、突起88が、フィルタ部32の濾材62の下流側に弾性的に当接することで、ギア81の回転に伴い突起88が各フィルタ山部71a，72aおよび各フィルタ谷部71b，72bに順次衝突して濾材62を下流側から叩いて振動を与え、この濾材62に捕集された塵埃を叩き落とす。
【００６２】
この叩き落とされた塵埃は、自重で濾材62の下方へと落下し、傾斜面65に沿って第２の集塵部55内に案内されて集塵される。
【００６３】
そして、各集塵部42，55に所定量以上の塵埃が溜まった際には、蓋体４を開けて集塵カップ７をカップ保持部６から取り外し、集塵カップ用ハンドル部37の操作ボタンを操作して下蓋57を開け、各集塵部42，55内に集塵された塵埃を廃棄した後、下蓋57を閉めた集塵カップ７を再度カップ保持部６に取り付けて蓋体４を閉める。
【００６４】
上述したように、上記一実施の形態では、一方向に沿って稲妻形になるように折り曲げ形成された複数の第１の折り線71と、第１の折り線71の折り方向と異なる他方向に沿って直線状になるように折り曲げ形成された複数の第２の折り線72とを濾材62に形成する構成とした。
【００６５】
この結果、これら各折り線71，72により、平面視での面積を大きくすることなく濾材62の表面積を異なる二方向に拡張することが可能となり、例えば濾材を一方向にのみ折り曲げるプリーツ状、あるいはコルゲート状とする場合と比較して、表面積を確保できるとともに、従来の濾材と同じ面積を確保する際に省スペース化が可能になる。
【００６６】
同時に、各折り線71，72のピッチを従来の濾材と比較して小さくしたり、各折り線71，72での折り曲げによる凹凸深さを従来の濾材と比較して大きくしたりすることなく濾材62の表面積を確保できるので、濾材62で捕集した塵埃が、各フィルタ山部71a，72aあるいは各フィルタ谷部71b，72bに詰まりにくくすることができ、濾材62から塵埃を容易に除去できる。特に、平面視での面積を変えることなく従来の濾材と同程度の表面積を濾材62で確保すればよい場合に、この効果は著しい。
【００６７】
さらに、各折り線71，72を二方向に形成することで、濾材62に捕集された塵埃を除塵装置76が回転により叩き落とす際には、各折り線71，72のいずれか一方に突起88の移動方向が常に交差し、突起88が除塵装置76の回転中に各フィルタ山部71a，72a、あるいは各フィルタ谷部71b，72bに常時衝突して濾材62に振動を与える。このため、例えば突起88がプリーツ方向に沿って移動している際には突起88により濾材に振動を与えることが容易でない従来のプリーツ状のフィルタと比較して、濾材62から効率よく塵埃を叩き落としできる。
【００６８】
また、濾材62の第１の折り線71が上下方向に連続するように、フィルタ部32を配設することにより、除塵装置76により濾材62から叩き落とされた塵埃が、これら第１の折り線71のフィルタ谷部71bに沿って下方へと円滑に落下して第２の集塵部55に集塵されるので、例えば第１の折り線71を左右方向になるように配設した場合などと比較して、濾材62から塵埃を、より容易に除去できる。
【００６９】
このため、濾材62が目詰まりしにくく、この濾材62の目詰まりによる電動送風機２の吸込力の低下を抑制でき、電動送風機２による吸込力が長期に亘って持続するとともに、濾材62を頻繁に交換する必要もなくなるので、メンテナンスが容易となり、使い勝手を向上できる。
【００７０】
そして、濾材62に消臭物質74を含有することにより、この濾材62に捕集される塵埃から発生する悪臭などが、濾材62を通過する空気に乗って掃除機本体１の外部に排気されたり、非掃除時に悪臭が集塵カップ７内にこもったりすることなどを防止できる。
【００７１】
同様に、濾材62にアレルゲンを不活性化するアレルゲン不活性化物質75を含有することにより、掃除機本体１から排気された排気に乗って作業者がアレルギーを起こすおそれがあるアレルゲンが掃除機本体１の外部に拡散することを防止できる。
【００７２】
しかも、濾材62を三浦折りして表面積を確保することで、消臭物質74およびアレルゲン不活性化物質75を従来と比較して多く濾材62に含有させることが可能になり、これら消臭物質74およびアレルゲン不活性化物質75の効果を向上できる。
【００７３】
なお、上記一実施の形態において、各折り線71，72は、一方を一方向に沿って直線状に折り曲げ形成し、他方を一方に交差する方向に沿って折り曲げ形成すれば、他の様々な方向および角度に折り曲げることが可能である。
【００７４】
また、各折り線71，72の本数は、所望の濾材62の表面積に応じて任意に設定する。
【００７５】
さらに、濾材62には、消臭物質74に代えて脱臭物質を含ませたり塗布させたり、消臭物質74と脱臭物質とを含ませたり塗布させたりする構成なども可能である。
【００７６】
そして、電気掃除機の細部は、上記構成に限定されるものではない。
【図面の簡単な説明】
【００７７】
【図１】本発明の一実施の形態の電気掃除機用フィルタを示す斜視図である。
【図２】同上電気掃除機用フィルタの濾材を示す平面図である。
【図３】同上電気掃除機用フィルタを備えた電気掃除機の一部を切り欠いて示す側面図である。
【図４】同上電気掃除機の一部を示す斜視図である。
【図５】同上電気掃除機を示す斜視図である。
【符号の説明】
【００７８】
２    電動送風機
32    電気掃除機用フィルタとしてのフィルタ部
61    保持部材としての枠体
62    フィルタ本体としての濾材
71    第１の折り線
72    第２の折り線
73    区画部
74    消臭物質
75    アレルゲン不活性化物質
【図１】
2006006406.tif 000003
【図２】
2006006406.tif 000004
【図３】
2006006406.tif 000005
【図４】
2006006406.tif 000006
【図５】
2006006406.tif 000007